【事件の表示】
　特許第２７００４６５号「塩化リゾチーム配合トイレタリー製品」の特許に対する特許異講の申立てについて、次のとおり決定する。
【結論】
　訂正を認める。
　特許第２７００４６５号の特許を維持する。
【理由】
Ｉ．手続の経緯
　特許第２７００４６５号の請求項１に係る発明についいての出願は、昭和６３年５月９日に特許出願され、平成９年１０月３日にその発明について特許の設定登録がなされ、その後、アース製薬株式会社より特許異議の申立てがなされ、取消理由通知がなされ、その指定期間内である平成１１年３月２９日に訂正請求がなされたものである。
ＩＩ．訂正の適否についての判断
　上記訂正は、特許請求の範囲の請求項１に記載の「を含有し、ｐＨ５±３であること」を「を含有し、グリテルルチン酸ジカリウムを含有せず、ｐＨ５±３であること」に訂正するものである。
　そこで、この訂正事項を検討すると、
　この訂正は、特許請求の範囲の請求項１に記載されたトイレタリー製品が、グリチルリチン酸ジカリウムを含有しないものに限定し、取消理由において引用された特願昭６１−３０３１６３号の出願当初明細書に記載された発明を除くように成分を限定しようとするものであるから、特許請求の範囲の減縮を目的とするものである。
　そして、前記訂正は、実質上特許請求の範囲を拡張又は変更するものではなく、また、願書に添付した明細書に記載した事項の範囲内のものであり、更に、訂正明細書の請求項１に係る発明は、後述のとおり、特許出願の際独立して特許を受けることができるものと認められる。
　以上のことから、上記訂正請求は、特許法第１２０条の４第２項及び同条第３項で準用する特許法第１２６条第２−４項の規定に適合するので、当該訂正を認める。
ＩＩＩ．特許異議申立てについての判断
１．本件発明
　訂正明細書の請求項１に係る発明（以下「本件発明」という。）は、その特許請求の範囲の請求項１に記載された次の事項により特定されるとおりのものである。
　請求項１「ａ）塩化リゾチームと、
ｂ）非イオン性界面活性剤、陽イオン型界面活性剤及び両性界面活性剤からなる群より選択される少なくとも１種と、
ｃ）エタノール、糖類、アミノ酸及びキレート剤からなる群より選択される２種以上とを含有し、グリテルルチン酸ジカリウムを含有せず、ｐＨ５±３であることを特徴とする塩化リゾチーム配合トイレタリー製品。」
２．申立ての理由の概要
　申立人アース製薬株式会社は、証拠として特願昭６１−３０３１６３号（特開昭６３−１５６７２８号公報）（甲第１号証）、特開昭６２−１９５３５号公報（甲第２号証）、特開昭５２−９０６３８号公報（甲第３号証、取消理由で引用した刊行物１）及び特開昭６１−１３９３８４号公報（甲第４号証、取消理由で引用した刊行物２）をそれぞれ提出し、本件発明は、（Ａ）その出願日前の他の出願であって、その出願後に出願公開された甲第１号証の願書に最初に添付した明細書（以下「先願明細書」という。）に記載された発明と同一であると認められ、しかも、本件発明の発明者が先願明細書に記載された発明の発明者と同一であるとも、この出願の時において、その出願人が前記他の出願の出願人と同一であるとも認められないので、本件発明は、特許法第２９条の２の規定により、若しくは、（Ｂ）本件発明は、甲第２〜４号証に記載された発明に基づいて当業者が容易に発明をすることができたものであるから、特許法第２９条第２項の規定により特許を受けることができないものであるから、本件発明についての特許を受けることができないものであり、本件発明についての特許を取り消すべきである旨主張する。
３．申立人が提出した各甲号証記載の発明
　甲第１号証すなわち先願明細書には、「本発明者は前記の要請に応じ、塩化リゾチームおよびグリチルリチン酸ジカリウムを含有し、かつ上記諸条件を満足する水溶液の製造を検討した。しかしながら、塩化リゾチームおよびグリチルリチン酸ジカリウムの組み合わせば水溶液中において直ちに沈殿を生じて白濁し、澄明な液が得られなかった。」（第２頁第４欄下第２行〜同頁第５欄第５行）が、「本発明者は前記の問題点を解決するために種々の検討を行った。その結果、塩化ナトリウム、塩化カリウム、塩化カルシウム、塩化マグネシウム、リン酸塩（ナトリウム塩またはカリウム塩）、クエン酸塩（ナトリウム塩またはカリウム塩）、炭酸塩（ナトリウム塩またはカリウム塩）のいずれか１種以上を添加して、ｐＨを５〜９に調製すれば上記問題点が解決されることを見出し、本発明を完成した。」（問題点を解決するための手段の項）、実施例として、「塩化リゾチーム０．１ｇ、グリチルリチン酸ジカリウム０．５ｇおよび塩化ナトリウム８ｇ…ソルビトール２０ｇ、ＨＣＯ−５０｛１ポリオキシエチレン硬化ヒマシ油（エチレンオキサイド５０モル付加物）｝２ｇ…エタノール８０ｍｌ…Ｈ７．０に調製し…化粧水とした。本化粧水は澄明である。」（実例８の項）が、それぞれ記載されている。
　甲第２号証には、「リゾチームまたはその塩類を有効成分とし、シロップ基剤の糖質として白糖のみを用い、そのｐＨを４．７〜６に保ったリゾチームシロップ剤」（特許請求の範囲の項）が、「従来リゾチームシロップ剤は、シロップ基剤として、白糖の濃厚水溶液である単シロップ（日局）を用いて調製されていた。しかしながら、単シロップを用いてリゾチームシロップ剤を調製した場合、リゾチーム製剤において常用のｐＨ（約３〜４）ではリゾチームシロップ剤は経時的にリゾチームの活性を減じ、また着色して商品価値を低下するなどの不都合が生じる。このため、リゾチームシロツプ剤の調製に単シロップを使うことを避けて、白糖以外のＤ−ソルビット、キシリトールなどの糖質が用いられている…。しかしながら、このＤ−ソルビット、キシリトールなどにもその摂取量により下痢症状をおこす欠点がある。」（従来技術の項）が、「…従来使用を避けてきた白糖を用い、製剤のｐＨを特定範囲に保つことによって経時的に安定なリゾチームシロップ剤が得られることを見いだして本発明を完成した。」（問題点を解決するための手段の項）が、実施例として、「白糖５００ｇ…硬化ヒマシ油ポリオキシエチレン−（６０）−エーテル１ｇ…塩化リゾチーム２ｇ…クエン酸およびクエン酸ナトリウムでｐＨを５．５に調整した。次いで、これに精製水を加えて１０００ｍｌとし…リゾチームシロップ剤を得た。」（実施例１の項）が、それぞれ記載されている。
　甲第３号証には、「アニオン界面活性剤および／またはイオン性粘結剤を配合したことを特徴とするリゾチーム配合歯磨組成物」（特許請求の範囲の項）が、「一般に使用されている通常の歯磨組成物では、リゾチームを配合すると短期間に不活性化され、その効果が期待できず、従来、通常の歯磨組成物にリゾチームを配合することは困難とされている。これは、通常の歯磨組成物が必須成分としてラウリル硫酸ナトリウム（以下、ＳＬＳという）のようなアニオン界面活性剤、カルボキシメチルセルロース（以下、ＣＭＣという）やカラギーナンのようなイオン性粘結剤（糊料）などのイオン性成分と反応して白色沈殿を生じ、リゾチームが不活性化されることによると考えられている。そこで、非イオン性成分でのみ調製した歯磨組成物にリゾチームを配合することが提案されているが、かかる歯磨組成物は成形性や使用感が非常に悪く、歯磨としての機能を著しく損なう欠点がある。本発明者は、かかる欠点を解消し、リゾチームを安定に配合した歯磨組成物を得るべく種々検討した結果、従来、歯槽膿漏予防に効果のある薬効剤として歯磨組成物に配合されている塩化ナトリウムが通常のイオン性成分を含む歯磨組成物におけるリゾチームの不活性化を防ぐことを見出し、本発明を完成するにいたった。」（第１頁右下欄第６行〜第２頁左上欄第９行）が、実施例として、炭酸カルシウム４０％、無水ケイ酸１．０％、ＳＬＳ（アルキル硫酸ナトリウム）２．０％、ソルビトール１５．０％、ＣＭＣ１．０％、カラギーナン０．５％、塩化リゾチーム０．５％、塩化ナトリウム３．０％…水１００％に調整（実施例１の項）が、それぞれ記載されている。
　甲第４号証には、リゾチームなどの酵素をエチルアルコール水溶液に溶解させる際に、糖アルコールを添加することを特徴とする安定な酵素エチルアルコール水溶液の製法（特許請求の範囲の項）が、「リゾチーム…などの各種多様な酵素類が、医薬品、食品、飼料、皮革等の多岐にわたる工業分野で使用されるようになってきた。これら酵素類は通常水溶液状態…」（従来技術の項）が、水溶液状態にある酵素は低温で保存されればその安定性が保持されるものもあるが、溶液状態の方が粉末等の固体の状態にある場合よりも酵素の変性が一般的に起こり易いこと、また、低温であっても長期間保存した場合、経時的に細菌が増殖するなど衛生面上の問題も派生し、実用に供することができなくなる場合がおおくみられ、更に酵素水溶液を氷温以下の温度で凍結して保存すれば、一般的には酵素の安定性は保持されるが、使用時の解凍処理や冷凍保管設備も必要となるなど、工業レベルではあまり実用化されていないこと（発明が解決しようとする問題点の項）が、酵素水溶液の微生物汚染防止の面から、酵素溶液中で細菌等の微生物増殖を防止し得るエチルアルコール水溶液が理想であることに着目したが、エチルアルコール濃度を３０％以上にすれば凍結温度で保存しても凍結しないために、解凍操作が不要になるといった好都合な面もあるが、酵素類はこのようなエチルアルコール濃度が高い溶液中では完全に溶解しないか、或いは経時により沈殿物になって析出してきて初期の目的を果たし得なくなるという問題に直面し、種々の検討の結果、濃度の高いエチルアルコール水溶液中に酵素を溶解してもそこに糖アルコールを添加するとその沈殿析出が防止されかつ酵素活性が安定に保たれることを見出し、本発明を完成するに至ったこと（問題点を解決するための手段の項）が、実施例として、「塩化リゾチーム（卵白リゾチーム）０．３％（ｗ／ｗ）を含むエチルアルコール水溶液（３０％及び４０％（ｗ／ｗ）燐酸緩衝液ｐＨ７．０）１００１に、Ｄ−ソルビトール、…マルチトール、及びＤ−マニトール（食品添加物規定品）の各種糖アルコールを５〜３０％（ｗ／ｗ）になるように添加…こうして得られた塩化リゾチーム製剤を２〜４℃の温度に調節された冷蔵室で６ケ月間貯蔵した後、…沈殿生成率を測定した。結果は表５に示したが、塩化リゾチームのエチルアルコール水溶液製剤に於いても、Ｄ−ソルビトール、マルチトール、及びＤ−マニトールの配合添加により、エチルアルコール水溶液からの塩化リゾチームの沈殿物析出防止効果を認めた。」（実施例１の項）が、それぞれ記載されている。
４．対比・判断
（Ａ）本件発明と先願明細書記載の発明とを対比検討すると、先願明細書における実施例８の化粧水、ソルビトール及びＨＣＯ−５０が本件発明のトイレタリー製品、糖類及び非イオン性界面活性剤にそれぞれ相当していることは、本件明細書及び先願明細書の記載に照らし合わせて明らかであるので、両者は、塩化リゾチーム配合トイレタリー製品に関し、塩化リゾチーム、非イオン性界面活性剤、エタノール及び糖類を含有している点及びｐＨ値において一致しているが、該トイレタリー製品に含有させる成分として、先願明細書記載の発明ではグリチルリチン酸ジカリウムを用いることを必須としているのに対し、本件発明ではそのようなグリテルルチン酸ジカリウムが用いられない点で決定的に相違している。
　したがって、本件発明は先願明細書記載の発明と同一のものとすることができない。
（Ｂ）本件発明と甲第２〜４号証記載の発明とを対比検討すると、
（１）甲第２号証記載の発明において、リゾチームシロップ剤のｐＨ調製剤として用いられているクエン酸、クエン酸ナトリウムは、キレート剤として用いられる化合物でもあるから、本件発明と甲第２号証記載の発明とは、甲第２号証記載の発明のリゾチームシロップ剤の構成成分に用いる塩化リゾチーム、硬化ヒマシ油ポリオキシエチレン−（６０）−エーテル、白糖及びクエン酸又はクエン酸ナトリウムが、本件発明の塩化リゾチーム配合トイレタリー製品の構成成分に用いる塩化リゾチーム、非イオン性界面活性剤、糖類及びキレート剤にそれぞれ包含し、また、それら組成物のｐＨ値においても包含関係にある。
　そして、申立人は、本件発明は、甲第２号証記載の発明のリゾチームシロップ剤を塩化リゾチーム配合トイレタリー製品の一種である甲第３号証記載の発明の歯磨組成物に転用したものに相当し、この転用は当業者において容易である旨主張する。
　しかしながら、甲第２号証記載の発明の目的は、同号証記載のとおり、リゾチームシロップ剤に関し、従来、単シロップとしての白糖を用いた場合、リゾチームの活性を減じ、また、着色して商品価値を低下するという問題点があるものの、白糖が他の糖類よりも生理学上の問題がないことをふまえ、この白糖を用いることを前提として上記の問題点を解決すべく、ｐＨを４．７〜６という特定の範囲を保つ手段を採択したものと認められる。
　したがって、甲第２号証記載の発明においては白糖を用いることは必須の要件であり、シロップという点からみてその使用量も多量である。事実、甲第２号証記載の発明のリゾチームシロップ剤の構成成分の配合比を実施例でみると、白糖が約５０％水分を除けば９９％以上である。一方、甲第３号証記載の発明の歯磨組成物においては、塩化リゾチームは口内細菌の増殖の抑制等のために使用されているのであるから、このような歯磨組成物においては、かえって、口内細菌の増殖を促進させるような白糖等の糖の使用は回避するのが通常である。そして、このことは甲第３号証記載の発明の歯磨組成物の実施例において、炭酸カルシウム４０％を主成分とし、糖類として、糖アルコールのソルビトール１５％を用いた例が示されているが、やはり、白糖若しくは糖を用いた例は示されていない点からも明らかである。
　すなわち、甲第２号証記載の発明におけるシロップ剤と甲第３号証記載の発明におけるトイレタリー製品とは組成的に相容れないものである。
　しかも、本件発明と甲第２、３号証記載の発明を目的から更に言及するに、本件発明が、前記のような構成を採択した目的は、本件明細書に記載されているとおり、塩化リゾチーム配合トイレタリー製品に関し、従来のトイレタリー製品においては、水分及び界面活性剤に塩化リゾチームの活性が阻害され、長期安定化が難しく、また、エタノール・糖類等を添加するだけでは充分でないという問題点があることから、この問題点を解決するにあるものと認められるのに対し、甲第２号証記載の発明の目的は上述した通りであり、また、甲第３号証記載の発明の目的は、同号証記載のとおり、塩化リゾチーム配合歯磨組成物に関し、非イオン性成分でのみ調製したものは歯磨として機能しないので、通常必須成分としてのアニオン界面活性剤、イオン性粘結剤などのイオン性成分を含むもので、このイオン性成分と反応して白色沈殿を生じ、リゾチームが不活性化されるという問題点があるところ、この問題点を解決するにあり、この問題点を解決すべく、塩化ナトリウムを配合する手段を採択したものと認められる。
　このように、本件発明、甲第２号証記載の発明及び甲第３号証記載の発明の間にあっては、目的が組成物に配合された塩化リゾチームの活性の低下を防止するにある点で確かに共通する部分もあるが、塩化リゾチームの活性の低下をもたらす問題点はそれら組成物に共通しない各々独自の組成に起因して生じたもので、当然のことながら、問題点を解決すべき採択した手段も全く異なってり、その実体に何ら技術的関連性を見出し得ない。
　してみれば、本件発明は、甲第２号証記載の発明のリゾチームシロップ剤を甲第３号証記載の発明の如きトイレタリー製品に単に転用して得られるというものではない。
　次いで、甲第４号証記載の発明では、前記のとおり、多岐にわたる工業分野で使用されている塩化リゾチーム水溶液中にエチルアルコールと糖アルコールを併用することにより、酵素活性を安定に保つこと、実施例ではｐＨが７．０とあるが、本件発明のような界面活性剤を含むトイレタリー製品については記載がない。
　しかも、甲第４号証記載の発明の目的は、塩化リゾチーム水溶液につき該リゾチームの活性の低下を防ぐべく低温保存することを前提に、エチルアルコールを微生物増殖防止のために配合されたものにおいて、殊にアルコールが高濃度に配合する場合、酵素類が溶解しないか、或いは経時により沈殿物となって析出するという問題点生じるところ、この問題点を解決するに当たり、糖アルコールを併用添加する手段を採択したものと認められ、しかも、実施例をみると、塩化リゾチーム水溶液が冷蔵保存することを前提に、エチルアルコールとソルビトールとの併用による塩化リゾチームの活性の低下並びに沈殿の防止をもたらすという結果が示されている。これに対して、本件発明は、水及び界面活性剤を含有する塩化リゾチーム配合トイレタリー製品になるものであって、通常、このようなトイレタリー製品は室温付近における保存を前提とし、冷蔵保存することを前提とはしないものである。そして、本件発明は、界面活性剤の種類によりリゾチームの安定性に影響を与えることを見出してなされたものであり、特定種類の界面活性剤を使用するものであるのに対し、甲第４号証において、このような問題点の記載すらないのであるから、結局、両者の問題点を解決すべく採択された手段は本質的に異なるものといわざるを得ない。
　してみれば、甲第２、３号証記載の発明に更に甲第４号証記載の発明を加えて検討しても、本件発明は当業者が容易に発明できたものとすることはできない。
　また、他に本件発明についての特許を取り消すべき理由を発見しない。
　よって結論のとおり決定する。
【異議決定日】
平成１１年９月２４日（１９９９．９．２４）
【訂正の要旨】
　特許第２７００４６５号の明細書中、特許請求の範囲の減縮を目的として、【特許請求の範囲】の【請求項１】に記載の「を含有し、ｐＨ５±３であること」を「を含有し、グリテルルチン酸ジカリウムを含有せず、ｐＨ５±３であること」と訂正する。
（５４）【発明の名称】
塩化リゾチーム配合トイレタリー製品
（５７）【特許請求の範囲】
　【請求項１】ａ）塩化リゾチームと、
ｂ）非イオン性界面活性剤、陽イオン型界面活性剤及び両性界面活性剤からなる群より選択される少なくとも１種と、
ｃ）エタノール、糖類、アミノ酸及びキレート剤からなる群より選択される２種以上と
を含有し、
グリチルリチン酸ジカリウムを含有せず、
【発明の詳細な説明】
（イ）産業上の利用分野
本発明は、塩化リゾチームを配合したトイレタリー製品に関する。
（ロ）従来の技術とその問題点
　従来、塩化リゾチームは、広く生物体に分布して存在しており、細菌細胞膜の構成成分である多糖類の加水分解を触媒する酵素である。そして、その具体的作用としては、溶菌作用・抗炎症作用・止血作用・組織修復作用等が知られており、その利用分野としては、医薬品や食品等の分野に広く利用されている。
　しかし、その剤型は、粉末・顆粒・錠剤が市場の大部分を占めている。これは、クリーム状・乳液状・ゼリー状・液状等のトイレタリー製品の剤型化においては、水分及び界面活性剤に塩化リゾチームの活性が阻害され、塩化リゾチームの長期安定化が難しいことによる。
　そこで、従来においても、かかるクリーム状・乳液状・ゼリー状・液状等のトイレタリー製品中における塩化リゾチームの長期安定化法と、その技術に基づくトイレタリー製品の開発が進められており、その一つとして、エタノール・糖類等を添加したリゾチーム溶液では、安定であるとの報告もなされている。
　しかし、界面活性剤・水分を多量に含むトイレタリー製品においては満足できる長期安定化効果を上げることができず、また、製品によっては使用感上の問題も生ずる。
　更にはトイレタリー製品という本質上、医薬品や食品とは異なり、市場流通時における保存条件は、一定したものではなく単にトイレタリー製品中に、エタノール・糖類等を添加するだけでは、塩化リゾチームの活性安定性について充分なものではなく、実用的なものではなかった。
（ハ）問題点を解決するための手投
　本発明者は、各々のトイレタリー製品に塩化リゾチームを配合するに当たり、水分・界面活性剤・不安定な保存条件の存在下において、塩化リゾチームの活性の長期安定化を目的とし、研究開発を続けた結果、界面活性剤の種類及び含量・含水率・ｐＨ・安定化剤の種類及び添加量などを製品毎に目的に応じて処方化することにより、トイレタリー製品中の塩化リゾチームの長期安定化方法を見出した。
　即ち、本発明は、ａ）塩化リゾチームと、ｂ）非イオン性界面活性剤、陽イオン型界面活性剤及び両性界面活性剤からなる群より選択される少なくとも１種と、ｃ）エタノール、糖類、アミノ酸及びキレート剤からなる群より選択される２種以上とを含有し、ｐＨ５±３であることを特徴とする塩化リゾチーム配合トイレタリー製品に係るものである。
　ここで、トイレタリー製品としては、入浴剤・洗顔料・ボディ洗浄剤・シャンプー・リンス・パック・化粧液・ローション・クリーム・歯磨・衣類洗剤等のトイレタリー製品をいう。
　又、一般にクリーム状・ゼリー状・乳液状・液状等の剤型を有するトイレタリー製品の基剤は、製品によって異なるものであり、例えば、以下のようになる。
　即ち、入浴剤の場合は、ミリスチン酸イソプロピル・ラノリン脂肪酸イソプロピル・流動パラフィン・ラウリン酸ジエタノールアミド・ジプロピレングリコール・防腐剤・色素・香料・水等の配合が考えられる。
　また、洗顔料、ボディ洗浄剤の場合は、モノステアリン酸グリセリン・ポリオキシエチレンモノラウリン酸エステル・プロピレングリコール・防腐剤・色素・香料・水等の配合が考えられる。
　また、シャンプーの場合は、アルキルエーテル硫酸ナトリウム・ヤシ脂肪酸ジエタノールアミド・防腐剤・色素・香料・水等の配合が考えられる。
　また、リンスの場合は、塩化ステアリルジメチルベンジルアンモニウム・ステアリルアルコール・グリセリルモノステアレート・塩化ナトリウム・防腐剤・色素・香料・水等の配合が考えられる。
　また、パックの場合は、カルボキシメチルセルロースナトリウム・プロピレングリコール・ポリビニルアルコール・防腐剤・香料・水等の配合が考えられる。
　また、化粧液、ローションの場合は、ジプロピレングリコール・オレイルアルコール・ポリオキシエチレンラウリルエーテル・防腐剤・香料・水等の配合が考えられる。
　また、クリームの場合は、ジプロピレングリコール・スクワラン・セタノール・エタノール・カルボキシビニルポリマー・オリブ油・防腐剤・香料・水等の配合が考えられる。
　また、歯磨の場合は、炭酸カルシウム・カルボキシメチルセルロースナトリウム・ラウリル硫酸ナトリウム・サッカリン・防腐剤・香料・水等の配合が考えられる。
　衣類洗剤の場合は、アルキルエーテル硫酸エステルナトリウム・ポリオキシエチレンアルキルエーテル・プロピレングリコール・香料・水等の配合が考えられる。
　尚、上記基剤の成分構成は、例示的なものであって、上記成分構成に何ら限定されるものではなく、必要に応じて成分を変えたり、増減したりすることができるものである。
　また、塩化リゾチームとは、上記したように、細菌細胞膜の構成成分である多糖類の加水分解を触媒する酵素であり、その具体的作用として、溶菌作用、抗炎症作用、止血作用、組織修復作用等をするものである。
　そして、その含有量は、０．０５単位／ｇ〜１００単位／ｇ、好ましくは０．１単位／ｇ〜８０単位／ｇとする。これは、種々製品の使用部位、又は使用方法、更には使用量によっては異なるものであり、目的に応じて塩化リゾチームの濃度を変えるものである。
　また、本発明にかかるトイレタリー製品は、エタノール・糖類・アミノ酸・キレート剤・塩化ナトリウムの内、少なくとも１種以上を７０％以下含み、好ましくは、５０％以下含むことができる。これは、種々製品の使用感又は、剤型に応じて、製品ごとに必要に応じ変える事ができるものである。
　尚、ここでいう糖類としては、例えば、還元麦芽糖・キシリット・ショ糖・ソルビット・乳糖・ブドウ糖・マルトース・Ｄ−マンニット等を用いることができる。又、アミノ酸としては、例えば、グリシン・アラニン等を用いることができる。又、キレート剤としては、例えば、エデト酸二ナトリウム・クエン酸・ポリリン酸ナトリウム・メタリン酸ナトリウム・グルコン酸ナトリウム等を用いることができる。
　更に、界面活性剤としては、非イオン性・陽イオン性・両性のいずれも用いることができるが、総含有量としては、６０％以下であり、好ましくは３０％以下がよい。
　なお、非イオン性界面活性剤としては、ポリオール脂肪酸エステル・親油型モノステアリン酸グリセリン・親油型モノオレイン酸グリセリン・トリミリスチン酸グリセリン・モノステアリン酸エチレングリコール・モノステアリン酸プロピレングリコール・ソルビタン脂肪酸エステル・ポリオキシエチレンソルビタン脂肪酸エステル・ポリオキシエチレン脂肪酸エステル・ポリオキシエチレンアルキルエーテル・ポリオキシエチレンアルキルフェノールエーテル・ポリオキシエチレンソルビトール脂肪酸エステル・ショ糖脂肪酸エステル・脂肪酸アルキロールアミド・ポリオキシエチレンヒマシ油・ポリオキシエチレン硬化ヒマシ油等が、塩化リゾチームの長期安定化に効果的である。
　また、陽イオン性界面活性剤としては、塩化ベンザルコニウム、塩化ベンゼトニウム、塩化アルキルトリメチルアンモニウム、塩化ジステアリルジメチルアンモニウム・塩化ステアリルジメチルベンジルアンモニウム等が塩化リゾチームの長期安定化に効果的である。
　また両性界面活性剤としては、塩化アルキルジアミノエチルグリシン・ラウリルジメチルアミノ酢酸ベタイン・ヤシ油脂肪酸アミドプロピルジメチルアミノ酢酸ベタイン・２−アルキル−Ｎ−カルボキシメチル−Ｎ−ヒドロキシエチルイミダゾリニウムベタイン・２−アルキル−Ｎ−ソジウムカルボキシメチル−Ｎ−カルボキシメチルオキシエチルイミダゾリニウムベタイン等が塩化リゾチームの長期安定化に効果的である。
　更には、トイレタリー製品における最終組成での総含有水量は、０〜９０％がよく、好ましくは、０〜５０％が以内が良いが、製品の目的に応じ調整できるものである。
　またｐＨは、５±３以内に調整する必要がある。
（ニ）作用及び効果
　上記した構成により、本発明は、以下の効果を奏する。
▲１▼基剤中に、少なくとも非イオン性の界面活性剤及び／又は、陽イオン性界面活性剤及び／又は、両性界面活性剤と、を含有し、かつ、ｐＨを５±３以内としたので、含有する塩化リゾチーム作用の長期安定化を確実に図ることができ、トイレタリー製品の長期保存が可能となる。
▲２▼同塩化リゾチームの安定化により、トイレタリー製品使用時の種々原因による皮膚の損傷を抑え、使用後の皮膚を正常に保つことができる。
▲３▼塩化リゾチーム、非イオン性の界面活性剤及び／又は、陽イオン性界面活性剤及び／又は、両性界面活性剤とをエタノール、糖類、アミノ酸及びキレート剤からなる群より選択される２種以上含有することにより、トイレタリー製品全般に応用でき、塩化リゾチームの長期安定化を図ることができる。
（ホ）実施例
〔第１実施例〕
　第１表に示す成分構成を有する本発明に係わるリンス剤とコントロールＡ・Ｂにおける塩化リゾチームの活性安定性を比較した。更には、コントロールＢと本発明に係わるリンス剤との使用感を比較した。
　そして、第１図及び第２図に塩化リゾチームの活性安定性試験結果を示し、第２表には、使用感の試験結果を示す。
　なお、活性安定性は、Ｍ．ｌｙｓｏｄｅｉｋｔｉｃｕｓ　ＡＴＣＣ　４６９８の振盤培養菌体を、アセトンを用いて乾燥させて粉末としたものの懸濁液に、塩化リゾチーム標品を作用させて、その懸濁度の減少から、溶菌酵素活性を求める方法であって、基質による偏差をなくすために、毎回標準リゾチーム標品に対する試料の力価を算出して行う方法を用いた。
　従って、希釈された試料の場合は、標準リゾチーム標品のサンプリング量に相当するリゾチームを含有する試料の量をサンプリングして行う。
　標準リゾチーム標品は、特に十分精製した塩化リゾチームを保存する。
　この１ｍｇの力価を１，０００と規定する。
　第２表より明らかなように、本発明に係る塩化リゾチーム配合リンスは、リンス剤の良否を決定するリンス後の髪の状態について、コントロールＢよりも優れた性質を有している。
　また塩化リゾチームの活性安定性については、第１図及び第２図から明らかなように、コントロールＡ・Ｂでは室温、４０℃ともに１００日経過時点において０％であるのに対し、本発明に係るリンス剤のみ塩化リゾチームの活性が維持できる。
〔第２実施例〕
　第３表に示す成分構成を有する本発明に係るパック剤と、コントロールＡ・Ｂにおける塩化リゾチームの活性安定性を比較した。更には、コントロールＢと本発明に係るパック剤との使用感を比較した。
　そして第３図及び第４図に塩化リゾチームの活性安定性試験結果を示し、第４表には、使用感の試験結果を示す。
　尚、塩化リゾチームの活性安定性試験は、第１実施例と同じ方法により評価した。
　第４表より明らかなように、本発明に係るパック剤では、パック剤の良否を決定するパック後の肌の状態について、コントロールＢよりも優れた性質を有している。
　又塩化リゾチームの活性安定性については、第３図及び第４図から明らかなように、コントロールＡ・Ｂでは、室温、４０℃ともに１００日経過時点において０％であるのに対し、本発明に係るパック剤のみ塩化リゾチームの活性が維持できる。
〔第３実施例〕
　第５表に示す成分構成を有する本発明に係る化粧水とコントロールＡ・Ｂにおける塩化リゾチームの活性安定性を比較した。更には、コントロールＢと本発明に係る化粧水との使用感を比較した。
　そして第５図及び第６図に塩化リゾチームの活性安定性試験結果を示し、第６表には、使用感の試験結果を示す。
　尚、塩化リゾチームの活性安定性試験は、第１実施例と同じ方法により評価した。
　第６表より明らかなように、本発明に係る化粧水剤では、総合的な使い易さ、及び化粧水剤の評価として重要な項目と考えられる使用感について優れた性質を有している。
　また、塩化リゾチームの活性安定性については、第５図及び第６図から明らかなように、コントロールＡ・Ｂでは、室温、４０℃ともに１００日経過時点において０％であるのに対し、本発明に係る化粧水のみ塩化リゾチームの活性が維持できる。
〔第４実施例〕
　第７表に示す成分構成を有する本発明に係る栄養クリームとコントロールＡ・Ｂにおける塩化リゾチームの活性安定性を比較した。更には、コントロールＢと本発明に係るクリームとの使用感を比較した。
　そして、第７図及び第８図に塩化リゾチームの活性安定性試験結果を示し、第８表には、使用感の試験結果を示す。
　尚、塩化リゾチームの活性安定性試験は、第１実施例と同じ方法により評価した。
　第８表より明らかなように、本発明に係る栄養クリーム剤では、総合的な使い易さ、及びクリーム剤の評価として最も重要な項目と考えられる使用感について優れた性質を有している。
　又、塩化リゾチームの活性安定性に関しては第７図及び第８図から明らかなようにコントロールＡ・Ｂでは室温、４０℃ともに１００日経過時点において、０％であるのに対し、本発明に係るクリーム剤のみ塩化リゾチームの活性を維持できる。
〔第５実施例〕
　第９表に示す成分構成を有する本発明に係る歯磨とコントロールＡ・Ｂにおける塩化リゾチームの活性安定性を比較した。更には、コントロールＢと本発明に係る歯磨との使用感を比較した。
　そして、第９図及び第１０図に塩化リゾチームの活性安定性試験結果を示し、第１０表には、使用感の試験結果を示す。
　尚、塩化リゾチームの活性安定性試験は、第１実施例と同じ方法により評価した。
　第１０表から明らかなように、本発明に係る歯磨剤は歯磨の良否を決定する口中及び歯の清浄性について、コントロールＢよりも優れた性質を有している。
　また塩化リゾチームの活性安定性については、第９図及び第１０図から明らかなように、コントロールＡ・Ｂでは室温、４０℃ともに１００日経過時点において０％であるのに対し、本発明に係る歯磨剤のみ塩化リゾチームの活性が維持できる。
　尚、他のトイレタリー製品においても同様な結果を有する事ができるが、以下にそれらのトイレタリー製品における好ましい成分構成について、一例づづ示す。
▲１▼入浴剤　　　　　　　　　　　　　　　　　　　　　（％）
塩化リゾチーム　　　　　　　　　　　　　　　　　　　　　　３．０
グリセリン　　　　　　　　　　　　　　　　　　　　　　　４０．２
ポリオキシエチレンオレイルエーテル　　　　　　　　　　　　４．６
ショ糖脂肪酸エステル　　　　　　　　　　　　　　　　　　　３．６
エタノール　　　　　　　　　　　　　　　　　　　　　　　１３．２
ポリオキシエチレンヒマシ油　　　　　　　　　　　　　　　　３．２
ソルビット液　　　　　　　　　　　　　　　　　　　　　　１５．５
塩化ナトリウム　　　　　　　　　　　　　　　　　　　　　　３．１
塩化ベンザルコニウム　　　　　　　　　　　　　　　　　　　２．８
青色１号　　　　　　　　　　　　　　　　　　　　　　　　　　微量
水　　　　　　　　　　　　　　　　　　　　　　　　　　　　　残量
香料　　　　　　　　　　　　　　　　　　　　　　　　　　　３．０
合計　　　　　　　　　　　　　　　　　　　　　　　　　１００．０
　　　　　　　　　　　　　　　　　　　　　　　　　　　（％）
▲２▼洗顔料　　　　　　　　　　　　　　　　　　　　　（％）
塩化リゾチーム　　　　　　　　　　　　　　　　　　　　　　０．８
ヤシ油脂肪酸アミドプロピルジメチルアミノ酢酸ベタイン　　１２．４
ラウリルジメチルアミノ酢酸ベタイン　　　　　　　　　　　２０．７
グリセリン　　　　　　　　　　　　　　　　　　　　　　　１８．２
ポリオキシエチレン脂肪酸エステル　　　　　　　　　　　　　４．３
ポリオキシエチレン硬化ヒマシ油　　　　　　　　　　　　　　９．８
ソルビット液　　　　　　　　　　　　　　　　　　　　　　２５．４
グリシン　　　　　　　　　　　　　　　　　　　　　　　　　４．８
クエン酸　　　　　　　　　　　　　　　　　　　　　　　　　２．１
水　　　　　　　　　　　　　　　　　　　　　　　　　　　　　残量
香料　　　　　　　　　　　　　　　　　　　　　　　　　　　０．４
合計　　　　　　　　　　　　　　　　　　　　　　　　　１００．０
　　　　　　　　　　　　　　　　　　　　　　　　　　　（％）
▲３▼ボディ洗浄剤　　　　　　　　　　　　　　　　　　（％）
塩化リゾチーム　　　　　　　　　　　　　　　　　　　　　　０．８
ラウリルジメチルアミノ酢酸ベタイン　　　　　　　　　　　３４．６
グリセリン　　　　　　　　　　　　　　　　　　　　　　　１２．３
ソルビタン脂肪酸エステル　　　　　　　　　　　　　　　　　２．４
ポリオキシエチレンソルビタン脂肪酸エステル　　　　　　　　６．５
ポリオキシエチレンアルキルフェノールエーテル　　　　　　１４．３
エタノール　　　　　　　　　　　　　　　　　　　　　　　１０．０
モノステアリン酸エチレングリコール　　　　　　　　　　　　３．２
グリシン　　　　　　　　　　　　　　　　　　　　　　　　　３．４
塩化ステアリルジメチルベンジルアンモニウム　　　　　　　　２．１
水　　　　　　　　　　　　　　　　　　　　　　　　　　　　　残量
黄色４号　　　　　　　　　　　　　　　　　　　　　　　　　　微量
香料　　　　　　　　　　　　　　　　　　　　　　　　　　　０．４
合計　　　　　　　　　　　　　　　　　　　　　　　　　１００．０
　　　　　　　　　　　　　　　　　　　　　　　　　　　（％）
▲４▼シャンプー　　　　　　　　　　　　　　　　　　　（％）
塩化リゾチーム　　　　　　　　　　　　　　　　　　　　　　０．８
２−アルキル−Ｎ−カルボキシメチル−Ｎ−ヒ
ドロキシエチノレイミダゾリニウムベタイン　　　　　　　　４３．６
モノステアリン酸エチレングリコール　　　　　　　　　　　　４．４
グリセリン　　　　　　　　　　　　　　　　　　　　　　　　７．７
ラウリン酸ジエタノールアミドポリオキシエチ
レンソルビトール脂肪酸エステル　　　　　　　　　　　　　　２．６
ソルビット液　　　　　　　　　　　　　　　　　　　　　　１８．４
塩化アルキルジアミノエチル　　グリシン　　　　　　　　　０．８
クエン酸　　　　　　　　　　　　　　　　　　　　　　　　　３．３
水　　　　　　　　　　　　　　　　　　　　　　　　　　　　　残量
黄色４号　　　　　　　　　　　　　　　　　　　　　　　　　　微量
香料　　　　　　　　　　　　　　　　　　　　　　　　　　　０．４
合計　　　　　　　　　　　　　　　　　　　　　　　　　１００．０
　　　　　　　　　　　　　　　　　　　　　　　　　　　（％）
▲５▼衣類洗浄剤　　　　　　　　　　　　　　　　　　　（％）
塩化リゾチーム　　　　　　　　　　　　　　　　　　　　　　２．１
塩化ジステアリルジメチルアンモニウム　　　　　　　　　２３．４
塩化ベンゼトニウム　　　　　　　　　　　　　　　　　　　１４．３
塩化ベンザルコニウム　　　　　　　　　　　　　　　　　　　１．４
ポリオキシエチレンオレイルエーテル　　　　　　　　　　　２０．２
グリシン　　　　　　　　　　　　　　　　　　　　　　　　　２．３
クエン酸　　　　　　　　　　　　　　　　　　　　　　　　　１．６
塩化ナトリウム　　　　　　　　　　　　　　　　　　　　　　４．６
水　　　　　　　　　　　　　　　　　　　　　　　　　　　　　残量
香料　　　　　　　　　　　　　　　　　　　　　　　　　　　０．３
合計　　　　　　　　　　　　　　　　　　　　　　　　　１００．０
　　　　　　　　　　　　　　　　　　　　　　　　　　　（％）
▲６▼リンス　　　　　　　　　　　　　　　　　　　　　　　（％）
塩化リゾチーム　　　　　　　　　　　　　　　　　　　　　　０．５
ステアリルアルコール　　　　　　　　　　　　　　　　　　３．０
親油型モノステアリン酸グリセリン　　　　　　　　　　　　　３．０
塩化セチルトリメチルアンモニウム　　　　　　　　　　　　　３．０
プロピレングリコール　　　　　　　　　　　　　　　　　　　２．０
ポリオキシエチレンセチルエーテル　　　　　　　　　　　　　４．８
ラウリルジメチルアミノ酢酸ベタイン　　　　　　　　　　　　１．０
水　　　　　　　　　　　　　　　　　　　　　　　　　　　　　残量
着色剤　　　　　　　　　　　　　　　　　　　　　　　　　　　微量
香料　　　　　　　　　　　　　　　　　　　　　　　　　　　０．４
合計　　　　　　　　　　　　　　　　　　　　　　　　　１００．０
　　　　　　　　　　　　　　　　　　　　　　　　　　　（％）
▲７▼パック　　　　　　　　　　　　　　　　　　　　　　　（％）
塩化リゾチーム　　　　　　　　　　　　　　　　　　　　　　０．５
グリセリン　　　　　　　　　　　　　　　　　　　　　　　　２．０
ヒドロキシエチルセルロース　　　　　　　　　　　　　　　　３．０
スクワラン　　　　　　　　　　　　　　　　　　　　　　　　０．０
オリブ油　　　　　　　　　　　　　　　　　　　　　　　　　２．０
ポリオキシエチレンオレイルエーテル　　　　　　　　　　　　１．０
塩化アルキルジアミノエチルグリシン　　　　　　　　　　　　０．５
水　　　　　　　　　　　　　　　　　　　　　　　　　　　　　残量
香料　　　　　　　　　　　　　　　　　　　　　　　　　　　０．４
合計　　　　　　　　　　　　　　　　　　　　　　　　　１００．０
　　　　　　　　　　　　　　　　　　　　　　　　　　　（％）
▲８▼化粧水　　　　　　　　　　　　　　　　　　　　　（％）
塩化リゾチーム　　　　　　　　　　　　　　　　　　　　　　０．５
プロピレングリコール　　　　　　　　　　　　　　　　　　　２．０
ポリオキシエチレンセチルエーテル　　　　　　　　　　　　　０．５
１−メントール　　　　　　　　　　　　　　　　　　　　　０．１
パラベン　　　　　　　　　　　　　　　　　　　　　　　　　０．２
水　　　　　　　　　　　　　　　　　　　　　　　　　　　　　残量
香料　　　　　　　　　　　　　　　　　　　　　　　　　　　０．１
合計　　　　　　　　　　　　　　　　　　　　　　　　　１００．０
　　　　　　　　　　　　　　　　　　　　　　　　　　　（％）
▲９▼クリーム　　　　　　　　　　　　　　　　　　　　（％）
塩化リゾチーム　　　　　　　　　　　　　　　　　　　　　　０．５
１，３−ブチレングリコール　　　　　　　　　　　　　　　１０．０
ステアリルアルコール　　　　　　　　　　　　　　　　　　　２．０
モノラウリン酸ポリオキシエチレンソルビタン　　　　　　　　１．８
オクタン酸セチル　　　　　　　　　　　　　　　　　　　　　１．０
パラベン　　　　　　　　　　　　　　　　　　　　　　　　　０．３
水　　　　　　　　　　　　　　　　　　　　　　　　　　　　　残量
香料　　　　　　　　　　　　　　　　　　　　　　　　　　　０．２
ラウリルジメチルアミノ酢酸ベタイン　　　　　　　　　　　０．３
合計　　　　　　　　　　　　　　　　　　　　　　　　　１００．０
　　　　　　　　　　　　　　　　　　　　　　　　　　　（％）
▲１０▼歯磨　　　　　　　　　　　　　　　　　　　　　（％）
塩化リゾチーム　　　　　　　　　　　　　　　　　　　　　　０．５
リン酸水素カルシウム　　　　　　　　　　　　　　　　　　２０．１
無水ケイ酸　　　　　　　　　　　　　　　　　　　　　　　　０．９
１，３−ブチレングリコール　　　　　　　　　　　　　　　１１．４
ラウリルジメチルアミノ酢酸ベタイン　　　　　　　　　　　１０．０
ラウリルジメチルアミンオキシド　　　　　　　　　　　　　　３．０
ポリオキシエチレン硬化ヒマシ油　　　　　　　　　　　　　　０．５
水　　　　　　　　　　　　　　　　　　　　　　　　　　　　　残量
香料　　　　　　　　　　　　　　　　　　　　　　　　　　　０．４
合計　　　　　　　　　　　　　　　　　　　　　　　　　１００．０
　　　　　　　　　　　　　　　　　　　　　　　　　　　（％）
▲１１▼口中清涼剤　　　　　　　　　　　　　　　　　　（％）
塩化リゾチーム　　　　　　　　　　　　　　　　　　　　　　０．５
濃グリセリン　　　　　　　　　　　　　　　　　　　　　　　４．０
塩化ベンザルコニウム　　　　　　　　　　　　　　　　　　　０．５
モノラウリン酸ポリオキシエチレンソルビタン　　　　　　　　０．５
水　　　　　　　　　　　　　　　　　　　　　　　　　　　　　残量
香料　　　　　　　　　　　　　　　　　　　　　　　　　　　０．３
合計　　　　　　　　　　　　　　　　　　　　　　　　　１００．０
　　　　　　　　　　　　　　　　　　　　　　　　　　　（％）
▲１２▼乳液　　　　　　　　　　　　　　　　　　　　　（％）
塩化リゾチーム　　　　　　　　　　　　　　　　　　　　　　０．５
ヒドロキシエチルセルロース　　　　　　　　　　　　　　　　０．２
プロピレングリコール　　　　　　　　　　　　　　　　　　　２．０
モノステアリン酸ポリエチレングリコール　　　　　　　　　　１．０
親油型モノステアリン酸グリセリン　　　　　　　　　　　　　２．０
オリブ油　　　　　　　　　　　　　　　　　　　　　　　　　５．０
オレイン酸　　　　　　　　　　　　　　　　　　　　　　　　２．０
水　　　　　　　　　　　　　　　　　　　　　　　　　　　　　残量
香料　　　　　　　　　　　　　　　　　　　　　　　　　　　０．３
合計　　　　　　　　　　　　　　　　　　　　　　　　　１００．０
　　　　　　　　　　　　　　　　　　　　　　　　　　　（％）
▲１３▼ボディローション　　　　　　　　　　　　　　　（％）
塩化リゾチーム　　　　　　　　　　　　　　　　　　　　　　０．５
カルボキシビニルポリマー　　　　　　　　　　　　　　　　　０．２
ヒドロキシエチルセルロース　　　　　　　　　　　　　　　　０．２
ポリオキシエチレン硬化ヒマシ油　　　　　　　　　　　　　　２．０
親油型モノステアリン酸グリセリン　　　　　　　　　　　　　１．０
オクタン酸セチル　　　　　　　　　　　　　　　　　　　　　３．０
セタノール　　　　　　　　　　　　　　　　　　　　　　　　０．５
プロピレングリコール　　　　　　　　　　　　　　　　　　　２．０
水　　　　　　　　　　　　　　　　　　　　　　　　　　　　　残量
香料　　　　　　　　　　　　　　　　　　　　　　　　　　　０．３
合計　　　　　　　　　　　　　　　　　　　　　　　　　１００．０
　　　　　　　　　　　　　　　　　　　　　　　　　　　（％）
▲１４▼ヘアローション　　　　　　　　　　　　　　　　（％）
塩化リゾチーム　　　　　　　　　　　　　　　　　　　　　　０．５
１，３−ブチレングリコール　　　　　　　　　　　　　　　　２．０　　
ハッカ油　　　　　　　　　　　　　　　　　　　　　　　　　０．１
モノラウリン酸ポリオキシエチレンソルビタン　　　　　　　　１．０
塩化ベンゼトニウム　　　　　　　　　　　　　　　　　　　　０．５
水　　　　　　　　　　　　　　　　　　　　　　　　　　　　　残量
着色剤　　　　　　　　　　　　　　　　　　　　　　　　　　　微量
香料　　　　　　　　　　　　　　　　　　　　　　　　　　　０．３
合計　　　　　　　　　　　　　　　　　　　　　　　　　１００．０
　　　　　　　　　　　　　　　　　　　　　　　　　　　（％）
▲１５▼マッサージクリーム　　　　　　　　　　　　　　（％）
塩化リゾチーム　　　　　　　　　　　　　　　　　　　　　　０．５
流動パラフィン　　　　　　　　　　　　　　　　　　　　　　８．０
ラノリン　　　　　　　　　　　　　　　　　　　　　　　　　２．０
ポリオキシエチレンヒマシ油　　　　　　　　　　　　　　　　３．０
ヤシ油脂肪酸アミドプロピルジメチルアミノ酢酸ベタイン　　　０．２
グリセリン　　　　　　　　　　　　　　　　　　　　　　　２０．０
水　　　　　　　　　　　　　　　　　　　　　　　　　　　　　残量
香料　　　　　　　　　　　　　　　　　　　　　　　　　　　０．１
合計　　　　　　　　　　　　　　　　　　　　　　　　　１００．０
　　　　　　　　　　　　　　　　　　　　　　　　　　　（％）
【図面の簡単な説明】
第１図及び第２図は、室温及び４０℃における本発明の第１実施例に係るトイレタリー製品の塩化リゾチームの活性安定性をコントロールＡ・Ｂと比較して示したグラフ、第３図及び第４図は、室温及び４０℃における本発明の第２実施例に係るトイレタリー製品の塩化リゾチームの活性安定性をコントロールＡ・Ｂと比較して示したグラフ、第５図及び第６図は、室温及び４０℃における本発明の第３実施例に係るトイレタリー製品の塩化リゾチームの活性安定性をコントロールＡ・Ｂと比較して示したグラフ、第７図及び第８図は、室温及び４０℃における本発明の第４実施例に係るトイレタリー製品の塩化リゾチームの活性安定性をコントロールＡ・Ｂと比較して示したグラフ、第９図及び第１０図は、室温及び４０℃における本発明の第５実施例に係るトイレタリー製品の塩化リゾチームの活性安定性をコントロールＡ・Ｂと比較して示したグラフである。